(57)【特許請求の範囲】
【請求項１】
軸心を同一にして下部ケースに形成された入口管と出口管との間のケース本体部にインナーケース収容空間が形成され、インナーケースは、内部に計量室が形成されて、流入及び流出の各ノズルがそれぞれ形成された構成の複箱式水道メータであって、
前記インナーケースの外周面には、前記計量室に配置される羽根車の回転軸心に対して傾斜した部分を有するパッキン収容溝が形成され、
前記パッキン収容溝に収容されることで、部分的に前記羽根車の回転軸心に対して傾斜した部分を有する水密パッキンによって、前記下部ケースの内部は、未計量の水道水が収容される上流側室と、計量済の水道水が収容される下流側室とを水密に分離される構成であることを特徴とする複箱式水道メータ。
【請求項２】
前記インナーケースの外周面に形成されたパッキン収容溝は、楕円状であって、前記水密パッキンの全体が、前記羽根車の回転軸心に対して傾斜した楕円面に配置されることを特徴とする請求項１に記載の複箱式水道メータ。
【請求項３】
前記インナーケースの周壁体は、前記パッキン収容溝において上下に二分されて、上下の各周壁体分割体を組み付けて、前記インナーケース収容空間にインナーケースが収容された状態で、上周壁体分割体の下端面と下周壁体分割体の上端面との間に形成されるパッキン収容溝に収容された前記水密パッキンを上方から圧縮することで、当該水密パッキンを前記周壁体の半径方向外方に膨出変形させて、前記インナーケース収容空間の内周面に密着させる構成であることを特徴とする請求項１又は２に記載の複箱式水道メータ。
【請求項４】
前記パッキン収容溝の横断面は、インナーケースの外周面の側に拡開した三角形状であることを特徴とする請求項３に記載の複箱式水道メータ。
【請求項５】
前記上周壁体分割体の上端部には、前記インナーケース収容空間の上端部に形成された段差部に水密パッキンを介して密着される受圧板部が一体に形成されていることを特徴とする請求項３又は４に記載の複箱式水道メータ。
【請求項６】
請求項３に記載の複箱式水道メータのインナーケースを下部ケースのインナーケース収容空間に収容して組み付ける方法であって、
上下の各周壁体分割体を仮組みして、上周壁体分割体の下端面と下周壁体分割体の上端面との間の仮パッキン収容溝に水密パッキンを非圧縮状態で配置した仮組付けのインナーケースをインナーケース収容空間に収容した後に、受圧板押えリングにより受圧板を下方に押し付けることで、前記水密パッキンを前記インナーケースの半径方向外方に膨出変形させて、前記インナーケース収容空間の内周面に密着させることを特徴とする複箱式水道メータのインナーケースの組付け方法。
【請求項７】
軸心を同一にして下部ケースに形成された入口管と出口管との間のケース本体部に、横断面が円形のインナーケース収容空間が形成され、インナーケースは、内部に計量室が形成されて、流入及び流出の各ノズルがそれぞれ形成された構成の複箱式水道メータであって、
前記ケース本体部のインナーケース収容空間の内周部、及びインナーケースの外周部には、前記計量室に回転可能に配置される羽根車の回転軸心に対して傾斜した部分を有していて、互いに対応する段差部がそれぞれ形成され、
前記各段差部の間のパッキン収容溝に収容されることで、部分的に前記羽根車の回転軸心に対して傾斜した部分を有する水密パッキンにより、前記下部ケースの内部は、未計量の水道水が収容される上流側室と、計量済の水道水が収容される下流側室とが水密に分離される構成であることを特徴とする複箱式水道メータ。
【発明の詳細な説明】
【技術分野】
【０００１】
本発明は、下部ケースの内部が水密リングにより上流側室と下流側室とに分離された複箱式水道メータ、及びそのインナーケースの組付け方法に関するものである。
【背景技術】
【０００２】
複箱式水道メータ（以下、単に「水道メータ」という）は、下部ケースの内部が上流側室と下流側室とに分離され、両室に跨がってインナーケースが配置され、上流側室からインナーケースの内部の計量室に流入された水道水を羽根車の回転により計量した後に、当該水道水を下流側室に流出させる構成である。
【０００３】
下部ケースの内部を前記両室に分離する構造には、大別して、下部ケースの内部に隔壁を設けて、当該隔壁にインナーケースの高さ方向の中央部を支持する「隔壁構造」のものと、インナーケース収容空間を中空円柱状に形成して、インナーケースの外周面とインナーケース収容空間の内周面との特定部分を水密パッキンでシールすることで、下部ケース内を両室に分離させる「水密パッキン構造」のものとがある。
【０００４】
後者の「水密パッキン構造」の一つとして、特許文献１に開示のものが知られている。特許文献１に開示のものは、インナーケースの流出口の部分に水密パッキンを配置することで、下部ケース内を両室に分離させており、組付け可能にするために、インナーケース収容空間に所定の隙間を有して収容されたインナーケースの外周面とインナーケース収容空間の内周面との隙間にくさび体を挿入することで、インナーケースを半径方向に微動させて、前記水密パッキンを圧縮変形させて水密を図っている。
【先行技術文献】
【特許文献】
【０００５】
【特許文献１】特開２０１４−９５６１１号公報
【発明の概要】
【発明が解決しようとする課題】
【０００６】
本発明は、下部ケースの内部が水密リングにより上流側室と下流側室とに分離された複箱式水道メータにおいて、下部ケースに対するインナーケースの組付けを容易にして、水密パッキンの水密性を高めることを課題としている。
【課題を解決するための手段】
【０００７】
上記課題を解決するための請求項１の発明は、軸心を同一にして下部ケースに形成された入口管と出口管との間のケース本体部にインナーケース収容空間が形成され、インナーケースは、内部に計量室が形成されて、流入及び流出の各ノズルがそれぞれ形成された構成の複箱式水道メータであって、
前記インナーケースの外周面には、前記計量室に配置される羽根車の回転軸心に対して傾斜した部分を有するパッキン収容溝が形成され、
前記パッキン収容溝に収容されることで、部分的に前記羽根車の回転軸心に対して傾斜した部分を有する水密パッキンによって、前記下部ケースの内部は、未計量の水道水が収容される上流側室と、計量済の水道水が収容される下流側室とを水密に分離される構成であることを特徴としている。
【０００８】
請求項１の発明によれば、インナーケースの外周面には、計量室に配置される羽根車の回転軸心に対して傾斜した部分を有するパッキン収容溝が形成され、前記パッキン収容溝に収容されることで、部分的に前記羽根車の回転軸心に対して傾斜した部分を有する水密パッキンによって、下部ケースの内部は、未計量の水道水が収容される上流側室と、計量済の水道水が収容される下流側室とを水密に分離される構成であるため、前記下部ケースに設けられるインナーケース収容空間は、全高に亘って断面円形にすることができる。この結果、下部ケースのケース本体部に設けられるインナーケース収容空間の形状が単純化され、これに対応して、インナーケース全体の形状も円筒状となって単純化されて、下部ケースを上流側と下流側とに分離する水密パッキンの水密性が高められると共に、複箱式水道メータを構成する下部ケース及びインナーケースの設計製作が容易となる。
【０００９】
請求項２の発明は、請求項１の発明において、前記インナーケースの外周面に形成されたパッキン収容溝は、楕円状であって、前記水密パッキンの全体が、前記羽根車の回転軸心に対して傾斜した楕円面に配置されることを特徴としている。
【００１０】
請求項２の発明によれば、水密パッキンの全体が楕円状となって配置されることで、当該水密パッキンのわん曲状態は、全周に亘って徐々に変化して、急激に変化する部分はないので、当該水密パッキンに無理な力が作用せず、長期間に亘って高い水密性を保持できる。
【００１１】
請求項３の発明は、請求項１又は２の発明において、前記インナーケースの周壁体は、前記パッキン収容溝において上下に二分されて、上下の各周壁体分割体を組み付けて、前記インナーケース収容空間にインナーケースが収容された状態で、上周壁体分割体の下端面と下周壁体分割体の上端面との間に形成されるパッキン収容溝に収容された前記水密パッキンを上方から圧縮することで、当該水密パッキンを前記周壁体の半径方向外方に膨出変形させて、前記インナーケース収容空間の内周面に密着させる構成であることを特徴としている。
【００１２】
請求項３の発明によれば、下部ケースのインナーケース収容空間にインナーケースを収容する途中においては、上周壁体分割体の下端面と下周壁体分割体の上端面との間の仮パッキン収容溝に収容された水密パッキンには、圧縮力は作用しておらず、当該パッキンとインナーケース収容空間の内周面との間には、所定の隙間が形成されているため、インナーケース収容空間に対するインナーケースの収容をスムーズに行える。収容後において、受圧板押えリングによって、インナーケースの上端開口を覆っている受圧板を加圧すると、前記水密パッキンを収容している前記仮パッキン収容溝の幅（高さ方向の寸法）が狭められて、本来のパッキン収容溝が形成されることで、当該水密パッキンは、インナーケースの半径方向外方に膨出して、下部ケースのインナーケース収容空間の内周面に密着することで、水密が図られる。
【００１３】
請求項４の発明は、請求項３の発明において、前記パッキン収容溝の横断面は、インナーケースの外周面の側に拡開した三角形状であることを特徴としている。
【００１４】
請求項４の発明によれば、パッキン収容溝の形状が、インナーケースの外周面の側に拡開した三角形状になっているので、当該パッキン収容溝に収容された水密パッキンの圧縮変形時において、水密パッキンは、インナーケースの半径方向の内方には、殆ど膨出できないので、その半径方向外方に膨出するために、インナーケース収容空間の内周面に対する密着性が高められる。
【００１５】
請求項５の発明は、請求項３又は４の発明において、前記上周壁体分割体の上端部には、前記インナーケース収容空間の上端部に形成された段差部に水密パッキンを介して密着される受圧板部が一体に形成されていることを特徴としている。
【００１６】
請求項５の発明によれば、上周壁体分割体と受圧板部とが一体となっているために、水密パッキンの圧縮が確実となって、部品点数も少なくなる。
【００１７】
請求項６の発明は、請求項３に記載の複箱式水道メータのインナーケースを下部ケースのインナーケース収容空間に収容して組み付ける方法であって、
上下の各周壁体分割体を仮組みして、上周壁体分割体の下端面と下周壁体分割体の上端面との間の仮パッキン収容溝に水密パッキンを非圧縮状態で配置した仮組付けのインナーケースをインナーケース収容空間に収容した後に、受圧板押えリングにより受圧板を下方に押し付けることで、前記水密パッキンを前記インナーケースの半径方向外方に膨出変形させて、前記インナーケース収容空間の内周面に密着させることを特徴としている。
【００１８】
請求項６の発明によれば、下部ケースのインナーケース収容空間にインナーケースを収容する際には、上下のケース分割体を仮組付けしてインナーケースを形成して、当該インナーケースを前記インナーケース収容空間に収容すると、当該インナーケースの仮パッキン収容溝に収容された水密パッキンは、圧縮変形されていないために、当該水密パッキンと、当該インナーケース収容空間の内周面との間には、僅かの隙間が発生しているので、インナーケースの収容をスムーズに行えると共に、インナーケースが完全に収容された後において、下周壁体分割体に対して上周壁体分割体が僅かに近接して、仮パッキン収容溝の幅が狭くなって正規のパッキン収容溝が形成される。これにより、水密パッキンが圧縮変形されて、インナーケースの半径方向外方に膨出して、インナーケース収容空間の内周面に密着することで、下部ケース内が上流側室と下流側室とに水密を保持して分離される。この結果、下部ケースに対するインナーケースの組付け作業が容易となる。
【００１９】
請求項７の発明は、軸心を同一にして下部ケースに形成された入口管と出口管との間のケース本体部に、横断面が円形のインナーケース収容空間が形成され、インナーケースは、内部に計量室が形成されて、流入及び流出の各ノズルがそれぞれ形成された構成の複箱式水道メータであって、
前記ケース本体部のインナーケース収容空間の内周部、及びインナーケースの外周部には、前記計量室に回転可能に配置される羽根車の回転軸心に対して傾斜した部分を有していて、互いに対応する段差部がそれぞれ形成され、
前記各段差部の間のパッキン収容溝に収容されることで、部分的に前記羽根車の回転軸心に対して傾斜した部分を有する水密パッキンにより、前記下部ケースの内部は、未計量の水道水が収容される上流側室と、計量済の水道水が収容される下流側室とが水密に分離される構成であることを特徴としている。
【００２０】
請求項７の発明によれば、インナーケース収容空間の内周面の段差部に水密パッキンを配置した状態で、当該インナーケース収容空間にインナーケースを収容して、受圧板押えリングにより、前記インナーケースの上端開口を閉塞する受圧板を押圧すると、前記水密パッキンは、インナーケース収容空間の内周面、及びインナーケースの外周面に形成されて、羽根車の回転軸心に対して傾斜した部分を有する各段差部によって、上下方向に圧縮されることで、下部ケースの内部は、前記水密パッキンによって上流側室と下流側室とに水密を保持して分離される。
【発明の効果】
【００２１】
請求項１の発明によれば、下部ケースに設けられるインナーケース収容空間は、全高に亘って断面円形にすることができるため、下部ケースのケース本体部に設けられるインナーケース収容空間の形状が単純化され、これに対応して、インナーケース全体の形状も円筒状となって単純化されて、下部ケースを上流側と下流側とに分離する水密パッキンの水密性が高められると共に、複箱式水道メータを構成する下部ケース及びインナーケースの設計製作が容易となる。
【００２２】
請求項３及び６の各発明によれば、下部ケースのインナーケース収容空間にインナーケースを収容する途中においては、上周壁体分割体の下端面と下周壁体分割体の上端面との間の仮パッキン収容溝に配置された水密パッキンには、圧縮力は作用しておらず、当該パッキンとインナーケース収容空間の内周面との間には、所定の隙間が形成されているため、インナーケース収容空間に対するインナーケースの収容をスムーズに行える。インナーケースの収容後において、受圧板押えリングによって、インナーケースの上端開口を覆っている受圧板を加圧すると、前記水密パッキンを収容している仮パッキン収容溝の幅（高さ方向の寸法）が狭められて、正規のパッキン収容溝が形成されることで、当該水密パッキンは、インナーケースの半径方向外方に膨出して、下部ケースのインナーケース収容空間の内周面に密着することで、水密が図られる。
【図面の簡単な説明】
【００２３】
【図１】下部ケースＧにインナーケースＣ1 を収容した状態の斜視図である。
【図２】本発明に係る複箱式水道メータの縦断面図（水道水の流れる方向に沿った断面図）である。
【図３】本発明に係る複箱式水道メータの分解斜視図である。
【図４】インナーケースＣ1 を構成する上下の各ケース分割体Ｃ1a，Ｃ1bの分離状態の斜視図である。
【図５】上下の各ケース分割体Ｃ1a，Ｃ1bの周方向に沿った位置決め構造を示す分解斜視図である。
【図６】上下の各ケース分割体Ｃ1a，Ｃ1bの分離状態の正面図である。
【図７】下部ケースＧのインナーケース収容空間Ｖ1 に対するインナーケースＣ1 の収容途中の断面図である。
【図８】下部ケースＧのインナーケース収容空間Ｖ1 に対するインナーケースＣ1 の周方向の位置決め構造を示す模式的平面図である。
【図９】方形状のパッキン収容溝３５の部分拡大断面図である。
【図１０】全体が非楕円形のパッキン収容溝３６を有する二分割構造のインナーケースＣ1'がインナーケース収容空間Ｖ1 に収容された複箱式水道メータの断面図である。
【図１１】一体構造のインナーケースＣ2 を備えた複箱式水道メータの模式的縦断面図である。
【図１２】インナーケース収容空間Ｖ3 の内周面及びインナーケースＣ3 の外周面の楕円状の各段差部６１，６２によって水密パッキンＰ1 が圧縮される構成の複箱式水道メータの模式的縦断面図である。
【発明を実施するための形態】
【００２４】
最初に、図１〜図４及び図７を参照して、請求項３〜６の発明の実施例である複箱式水道メータ、及びそのインナーケースＣ1 の組付け方法について詳細に説明する。下部ケースＧは、上面が開口した円筒状のケース本体部４１に入口管４２と出口管４３とが軸心を同一にして一体に形成され、前記ケース本体部４１の内部空間は、インナーケース収容空間Ｖ1 となっている。図７に示されるように、ケース本体部４１には、入口管４２及び出口管４３よりも上方に突出した状態で環状壁部４４が一体に形成され、当該環状壁部４４の内側には、後述の受圧板１４の鍔部１４ａ、及び当該鍔部１４ａとの間で水密を保持する水密パッキンＰ2 を配置するための第１及び第２の各段差部４５，４６が設けられ、前記環状鍔部４４の内周面における前記各段差部４５，４６よりも上方の部分には、後述の受圧板押えリング２２を螺合させる雌ねじ４７が形成されている。
【００２５】
図３〜図７に示されるように、インナーケースＣ1 の周壁体１は、当該インナーケースＣ1 の内部に回転可能に配置される羽根車Ｗの回転軸心に対して傾斜した楕円面によって上下に二分割されて、上周壁体分割体３の下端面３ａと下周壁体分割体４の上端面４ａとによって、下部ケースＧの内部を未計量の水道水が収容される上流側室Ｕと、計量済の水道水が収容される下流側室Ｌに分離するための水密パッキンＰ1 を収容する楕円状のパッキン収容溝５（図２参照）が形成される。当該パッキン収容溝５は、水密パッキンＰ1 が圧縮変形される状態では、横断面形状は、インナーケースＣ1 の外周面に向けて拡開した二等辺三角形状をなしている。上記のようにして、インナーケースＣ1 の周壁体１が上下に二分割されることで、当該インナーケースＣ1 は、上下に二分割されて、上下の各ケース分割体Ｃ1a，Ｃ1bとを一体に組み付けて構成される。
【００２６】
下ケース分割体Ｃ1bの下周壁体分割体４の高さが最も高い部分には、上流側室Ｕに配置される流入口６が形成され、下周壁体分割体４の内側に、下面が閉塞された有底円筒状のノズル形成体７がインナーケースＣ1 の軸心（羽根車Ｗの回転軸心と同一）と同心となって一体に形成され、当該ノズル形成体７の略下半部には、周方向に沿って一定間隔をおいて複数の流入ノズル８が形成されている。下周壁体分割体４の内側には、外径が周壁体１の内径に等しくて、台座状となった嵌合補助台座部９が、下周壁体分割体４の所定高さの部分まで全周に亘って形成され、前記嵌合補助台座部９の上面よりも低い部分、及び高い部分には、それぞれ下周壁体分割体４の楕円状の上端面４ａの低い側のほぼ半分、及び高い側のほぼ半分が形成されている。即ち、下周壁体分割体４の楕円状の上端面４ａは、嵌合補助台座部９の上面９ａと交差する形態となって配置されている。楕円状をした下周壁体分割体４の上端面４ａの高い側のほぼ半分には、上下の各周壁体分割体３，４を全周に亘って嵌合可能なように、平面視で円弧状をした嵌合補助板部１１が上方に突設されている。嵌合補助台座部９と嵌合補助板部１１とは、周方向に沿って連続している。
【００２７】
有底円筒状のノズル形成体７における嵌合補助台座部９の上面９ａよりも上方の部分に、周方向に沿って一定間隔をおいて複数（実施例では３個）の流出ノズル１２が形成され、ノズル形成体７の外周面における各流出ノズル１２に臨む部分には、流出水流の案内を行うための一対一組の流出ガイド板１３が、有底円筒状のノズル形成体７の接線方向に対して傾斜して形成されている。
【００２８】
上ケース分割体Ｃ1aは、上周壁体分割体３の上部に受圧板１４が半径方向に鍔状に突出した形態で一体に形成され、当該上周壁体分割体３の下端面３ａは、楕円状に形成されている。上下の各ケース分割体Ｃ1a，Ｃ1bを一体に組み付けてインナーケースＣ1 とした場合において、下周壁体分割体４に形成された流入口６と反対の部分（周方向に沿った位相が１８０°異なる部分）には、円形の流出口１５が形成されている。
【００２９】
上下の各ケース分割体Ｃ1a，Ｃ2bには、図５に示されるように、当該各ケース分割体Ｃ1a，Ｃ1bを一体に組み付ける際に、周方向の位置決めを行うための位置決め突起１６及び位置決め溝１７がそれぞれ設けられている。位置決め突起１６は、上ケース分割体Ｃ1aの受圧板１４の裏面に設けられ、位置決め溝１７は、ノズル形成体７の上端部の上面に開口して形成されている。
【００３０】
図２及び図４に示されるように、有底円筒状のノズル形成体７の底板部７ａの中心には回転支持軸１８が垂直となって固定され、インナーケースＣ1 内に配置される羽根車Ｗの回転軸部１９は、前記回転支持軸１８に回転可能に支持されている。
【００３１】
図２及び図６に示されるように、上下の各周壁体分割体３，４の各端面３ａ，４ａは、当該各ケース分割体Ｃ1a，Ｃ1bを組み付けることで、上下の各周壁体分割体３，４の各端面３ａ，４ａによって形成されるパッキン収容溝５が、インナーケースＣ1 の半径方向外方に拡開した断面二等辺三角形状となるように形状されている。即ち、上下の各周壁体分割体３，４の各端面３ａ，４ａは、全周に亘って、周壁体１を上下に二分した楕円面２１（図６参照）に対して等しい角度（θ）〔図２参照〕だけ傾斜している。
【００３２】
図２及び図５〜図７に示されるように、下ケース分割体Ｃ1bの上端面４ａに水密パッキンＰ1 を配置すると共に、上ケース分割体Ｃ1aの受圧板１４の下面に別の水密パッキンＰ2 を配置して、前記位置決め突起１６及び位置決め溝１７により上下の各ケース分割体Ｃ1a，Ｃ1bの周方向の位置決めを行って、下ケース分割体Ｃ1bの嵌合補助台座部９及び嵌合補助板部１１の外側に、上ケース分割体Ｃ1aの上周壁体分割体３を嵌合させると、上下の各周壁体分割体３，４の各端面３ａ，４ａの間の断面台形状の仮パッキン収容溝５’（図７参照）に水密パッキンＰ1 が配置された形態で、上下の各ケース分割体Ｃ1a，Ｃ1bが仮組付けされて、インナーケースＣ1 となる。
【００３３】
そして、仮組付けされたインナーケースＣ1 をケース本体部４１のインナーケース収容空間Ｖ1 に収容する際には、図７に示されるように、仮組付けに係るインナーケースＣ1 の外周面の楕円状の仮パッキン収容溝５’に収容された水密パッキンＰ1 には外力が作用していないために、その横断面は原形状である円形を保持している。よって、当該水密パッキンＰ1 と前記インナーケース収容空間Ｖ1 の内周面Ｖ1aとの間には、僅少の隙間Ｋが形成されているために、両者の間の摺動抵抗は全くない。よって、インナーケース収容空間Ｖ1 に対する仮組付けされたインナーケースＣ1 の収容は、スムーズに行える。
【００３４】
このように、下部ケースＧのケース本体部４１に設けられるインナーケース収容空間Ｖ1 の横断面形状は、全高に亘って円形となって、内周面に凹凸部が存在しない単純形状になり、これに対応して、インナーケースＣ1 の全体形状も円筒状となって、外周面に凹凸部の存在しない単純形状となるので、下部ケースＧ及びインナーケースＣ1 の設計製作が容易となる。
【００３５】
その後に、下部ケースＧのケース本体部４１の環状壁部４４の内周面の雌ねじ４７に対して受圧板押えリング２２を螺合することで、上ケース分割体Ｃ1aの受圧板１４を押し付けると、図２の主要部の部分拡大図に詳細に示されているように、上下の各ケース分割体Ｃ1a，Ｃ1bを構成する上下の各周壁体分割体３，４の各端面３ａ，４ａの内周側の部分が近接することで、当該各端面３ａ，４ａによって、断面台形状の仮パッキン収容溝５’は、断面二等辺三角形状の本来のパッキン収容溝５となる。よって、互いに離間していた各端面３ａ，４ａの間の仮パッキン収容溝５’に配置されていた水密パッキンＰ1 は、圧縮変形されて、インナーケースＣ1 の半径方向外方に膨出して、インナーケース収容空間Ｖ1 の内周面Ｖ1aに密着する。これにより、圧縮変形されてインナーケース収容空間Ｖ1 の内周面Ｖ1aに楕円状となって密着している水密パッキンＰ1 によって、下部ケースＧの内部は、上流側室Ｕと下流側室Ｌとに水密を保持して分離されて、インナーケースＣ1 の内部の羽根車Ｗが配置される部分が計量室Ｒとなる。なお、インナーケース収容空間Ｖ1 に仮組付けのインナーケースＣ1 を収容する際における下部ケースＧに対する周方向の位置決めは、図２及び図８に示されるように、下ケース分割体Ｃ1bのノズル形成体７の底板部７ａの下面に突設された位決めピン２３を、ケース本体部４１の底板部４１ａに設けられた位置決め孔２４に嵌合することで行われる。
【００３６】
上記実施例では、パッキン収容溝５の横断面形状が二等辺三角形状であるので、水密パッキンＰ1 の圧縮変形時において、インナーケースＣ1 の半径方向外方に膨出する割合が多くなるので、水密性が高められる利点がある。このように、パッキン収容溝の形状は、三角形状が最適形状であるが、図９に示されるように、断面方形状をしたパッキン収容溝３５であってもよい。
【００３７】
入口管４２から流入した水道水は、インナーケースＣ1 の流入口６及び複数の流入ノズル８を通って計量室Ｒの内部に、羽根車Ｗの羽根体３１の略接線方向に沿って流入することで、当該羽根車Ｗを回転させた後に、複数の流出ノズル１２及び流出口１５を通って、計量室Ｒから外部の出口管４３に向けて流出する。回転軸部１９の上端部には連結マグネット３２が埋設され、積算流量表示ユニットＳを構成する入力軸（図示せず）は、前記羽根車Ｗの回転軸部１９の直上に配置されて、当該入力軸の下端部には、前記連結マグネット３２と協働してマグネット連結具を構成する別の連結マグネット（図示せず）が埋設され、羽根車Ｗの回転は、そのまま前記入力軸に伝達されて、積算流量表示ユニットＳには、計量室Ｒを通過する水道水の積算流量が表示される。なお、図２において、３３は、前記積算流量表示ユニットＳが組み込まれた外ケース（図示せず）を覆う全体カバーを示す。
【００３８】
上記実施例の複箱式水道メータは、インナーケースＣ1 が羽根車Ｗの回転軸心に対して傾斜した楕円面によって上下に二分割された構成であって、水密パッキンＰ1 の全体が楕円状となって配置されることで、当該水密パッキンＰ1 のわん曲状態は、全周に亘って徐々に変化して、急激に変化する部分はないので、当該水密パッキンＰ1 に無理な力が作用せず、長期間に亘って高い水密性を保持できる利点がある。
【００３９】
しかし、本発明は、インナーケースＣ1 の外周面とインナーケース収容空間Ｖ1 の内周面との間の水密を保持する水密パッキンＰ1 によって、下部ケースＧの内部を上流側室Ｕと下流側室Ｌとに分離することに本質が存するため、前記水密パッキンＰ1 の配置は、羽根車Ｗの回転軸心に対して傾斜した楕円面に限られない。即ち、パッキン収容溝３６及び当該パッキン収容溝３６に収容される水密パッキンＰ1'の各形状は、図１０に示されるように、水密パッキンＰ1'における流入口６及び流出口１５に近い上端部及び下端部は、羽根車Ｗの回転軸心に対して傾斜した面内にそれぞれ配置され、上端部及び下端部を除く部分は、羽根車Ｗの回転軸心に対して垂直な面内に水平に配置されるような形状であってもよい。このような形状にする利点は、インナーケースＣ1'の内部に設けられる流入ノズル及び流出ノズルを配置し易くするためである。なお、上記したパッキンＰ1'の配置構造は、上下二分割型、及び一体型のいずれのインナーケースに対しても適用できる。
【００４０】
上記した請求項３〜６の発明に係る実施例は、羽根車Ｗの回転軸心に対して傾斜した楕円面においてインナーケースＣ1 を上下に二分割した構成であるが、請求項１の発明は、図１１に示されるように、一体構造のインナーケースＣ2 の外周面における羽根車Ｗの回転軸心に対して傾斜した楕円面と交差する部分に楕円状のパッキン収容溝５１が形成され、当該パッキン収容溝５１に水密パッキンＰ1 を圧縮変形させて収容した状態で、当該インナーケースＣ2 をケース本体部４１のインナーケース収容空間Ｖ1 に押し込んで収容するものである。
【００４１】
インナーケースＣ2 の外周面のパッキン収容溝５１に水密パッキンＰ1 を圧縮変形させて収容した状態では、圧縮変形されたパッキンＰ1 は、当該インナーケースＣ2 の外周面から突出していて、収容途中及び収容後においてインナーケース収容空間Ｖ2 の内周面に密着している。このため、インナーケース収容空間Ｖ2 に対するインナーケースＣ2 の押込み収容時における水密パッキンＰ1 の部分の抵抗を少なくするために、インナーケース収容空間Ｖ2 の内周面に潤滑油等を塗布すると、インナーケースＣ2 の押込み収容がスムーズとなる。
【００４２】
図１２は、請求項７の発明の実施例の複箱式水道メータの縦断面図であって、インナーケース収容空間Ｖ3 の内周面及びインナーケースＣ3 の外周面には、それぞれ対応する楕円状の各段差部６１，６２が設けられている。インナーケース収容空間Ｖ3 の内周面の楕円状の段差部６１に水密パッキンＰ1 を配置した状態で、当該インナーケース収容空間Ｖ3 にインナーケースＣ3 を収容して、受圧板押えリング２２’により、前記インナーケースＣ3 の上端開口を閉塞する受圧板１４’を押圧すると、前記水密パッキンＰ1 は、インナーケース収容空間Ｖ3 の内周面、及びインナーケースＣ3 の外周面に形成された各段差部６１，６２によって、上下方向に圧縮されることで、下部ケースＧ’の内部は、前記水密パッキンＰ1 によって上流側室Ｕと下流側室Ｌとに水密を保持して分離される。なお、図１０〜図１２において、請求項３〜６の発明の実施例と同一又は同等の部分には、同一符号又は同一符号に「’」を付して図示してある。
【００４３】
また、上記した各実施例では、いずれも周壁体１は、インナーケースＣ1 〜Ｃ3 の全高に亘って形成され、流入及び流出の各ノズル８，１２は、いずれも前記周壁体１の内部に配置された構成であるが、本発明においては、少なくとも水密パッキンＰ1 の配置部に周壁体が設けられておれば足り、流入及び流出の各ノズル８，１２の双方又はいずれか一方が、壁体の内部に配置されることなく、露出された構成であってもよい。特に、流入ノズル８の側が露出されることで、流入水流の圧力損失が小さくなって、器差性能の向上が期待できる。
【符号の説明】
【００４４】
Ｃ1 〜Ｃ3 ：インナーケース
Ｃ1a：上ケース分割体
Ｃ1b：下ケース分割体
Ｇ：下部ケース
Ｋ：水密パッキンとインナーケース収容空間の内周面との隙間
Ｌ：下流側室
Ｐ1 ：インナーケースのパッキン収容溝に嵌め込まれる水密パッキン
Ｐ2 ：受圧板の部分を水密を保持させる水密パッキン
Ｒ：計量室
Ｕ：上流側室
Ｖ1 〜Ｖ3 ：インナーケース収容空間
１：周壁体
３：上周壁体分割体
４：下周壁体分割体
５，３５，３６：パッキン収容溝
５’：仮パッキン収容溝
８：流入ノズル
１２：流出ノズル
１４：受圧板
４１：ケース本体部
６１，６２：段差部
【図１】
0006258187.tif 000002
【図２】
0006258187.tif 000003
【図３】
0006258187.tif 000004
【図４】
0006258187.tif 000005
【図５】
0006258187.tif 000006
【図６】
0006258187.tif 000007
【図７】
0006258187.tif 000008
【図８】
0006258187.tif 000009
【図９】
0006258187.tif 000010
【図１０】
0006258187.tif 000011
【図１１】
0006258187.tif 000012
【図１２】
0006258187.tif 000013